(57)【要約】      （修正有）【課題】製造を容易にし、製造材料の使用を減らして生産コストの削減ができるとともに、環境保護の要求に応えることができる環状或いは多辺形ＬＥＤライトの構造を提供する。【解決手段】複数の発光ユニットと連結部材とによって構成する。各連結部材を二つの発光ユニットの間に設けることにより、発光ユニットを連結させて、環状或いは多辺形構造を形成させる。各発光ユニットは複数のＬＥＤランプを具える。【選択図】図１
0003159785.tif 000002
【実用新案登録請求の範囲】
【請求項１】
複数の発光ユニットと、複数の連結部材とによって構成するＬＥＤライトの構造において、
各発光ユニットは複数のＬＥＤランプを具え、
各連結部材は、二つの発光ユニットの間に設けて、各発光ユニットを連結させることを特徴とする、ＬＥＤライトの構造。
【請求項２】
前記ＬＥＤライトの構造は、さらに、少なくとも一つの内側ＬＥＤライトの構造を具え、
前記内側ＬＥＤライトの構造は、前記ＬＥＤライトの構造内に設けるとともに、前記内側ＬＥＤライトの構造は、複数の発光ユニットと複数の連結部材を具え、各連結部材は二つの発光ユニットの間に設けて各発光ユニットを連結し、各発光ユニットは複数のＬＥＤランプを具え、
前記発光ユニットは、さらに、複数の回路基板と複数の放熱管を具え、前記ＬＥＤランプは前記回路基板に設け、前記回路基板は相互に電気的に接続させ、前記放熱管は収容溝を具え、前記回路基板は前記収容溝に設け、
前記放熱管はさらに貫通孔を具え、前記連結部材は係合部材を具え、前記係合部材は前記貫通孔の辺縁に係合し、連結部材の内の一つは複数のピンを具え、前記ピンは前記回路基板と電気的に接続することを特徴とする、請求項１に記載のＬＥＤライトの構造。
【請求項３】
前記発光ユニットと前記連結部材を連結させて、環状或いは多辺形構造を形成させることを特徴とする、請求項１または請求項２に記載のＬＥＤライトの構造。
【考案の詳細な説明】
【技術分野】
【０００１】
本考案はＬＥＤライトの構造に関し、特に、照明に使用される環状或いは多辺形ＬＥＤライトの構造に関する。
【背景技術】
【０００２】
蛍光灯は直管形と環形の二種類に大きく分けられる。また、ＬＥＤランプは高い輝度と低い消費電力を併せ持ち、省エネと二酸化炭素削減を達成することができることから、現在、直管形ＬＥＤライトが次第に直管形蛍光灯に取って代わりつつある。しかしながら、ＬＥＤライトは、環形蛍光灯に取って代わることはできない。その理由として、環状或いは多辺形のＬＥＤライトを製造する際、回路基板を環状或いは多辺形にしなければならないが、それには非常に多くの材料が必要となり、コストが高くなるとともに、環境保護への要求に応えることができない。従って、環状或いは多辺形のＬＥＤライトは、製造上の困難をかかえているといえる。
【考案の概要】
【考案が解決しようとする課題】
【０００３】
本発明は、コストを減らし、環境保護の要求に応えることが可能な、環状或いは多辺形ＬＥＤライトの構造を提供することを目的とする。
【課題を解決するための手段】
【０００４】
本考案によるＬＥＤライトの構造は、複数の発光ユニットと連結部材とによって構成する。各連結部材を二つの発光ユニットの間に設けることにより、発光ユニットを連結させ、環状或いは多辺形構造を形成させる。各発光ユニットは複数のＬＥＤランプを具える。
【考案の効果】
【０００５】
本考案のＬＥＤライトの構造は、発光ユニットと連結部材の数量とサイズを実際の製造に合わせて変えることができるため、様々なサイズの環状或いは多辺形構造にすることができ、様々な照明器具のニーズに対応させることができる。また、連結部材で発光ユニットを連結させる構造を採用することにより、本考案は製造が容易になるとともに、製造材料を節約することができるため、生産コストを下げ、環境保護の要求にも応えることができる。
【図面の簡単な説明】
【０００６】
【図１】本考案の実施例１によるＬＥＤライトの構造の一部を分解した斜視図である。
【図２】本考案の実施例１によるＬＥＤライトの構造の一部の外観を示した斜視図である。
【図３】本考案の実施例１によるＬＥＤライトの構造の外観を示した斜視図である。
【図４】本考案の実施例１によるＬＥＤライトの構造を使用した状態を示した説明図である。
【図５】本考案の実施例２によるＬＥＤライトの構造を示した平面図である。
【図６】本考案の実施例３によるＬＥＤライトの構造を示した平面図である。
【図７】本考案の実施例４によるＬＥＤライトの構造を示した平面図である。
【考案を実施するための形態】
【０００７】
（実施例１）
図１から図３に示すように、本考案の実施例１によるＬＥＤライトの構造は、複数の発光ユニット１と複数の連結部材２によって構成する。
【０００８】
各発光ユニット１は、放熱管１０と、回路基板１１と、複数のＬＥＤランプ１２とを具える。放熱管１０は貫通孔１００を具え、放熱管１０の一側は収容溝１０１を具え、回路基板１１は収容溝１０１に設け、ＬＥＤランプ１２は回路基板１１に設ける。
【０００９】
各連結部材２は二つの発光ユニット１の間に設ける。連結部材２の両端はそれぞれ係合部材２０を具え、係合部材２０を貫通孔１００の辺縁に係合させることにより、連結部材２と発光ユニット１は相互に連結し、環状構造が形成される。
【００１０】
再び、図２を参照する。複数の発光ユニット１と複数の連結部材２を連結させて環状構造を形成させる際、各回路基板１１は相互に電気的に接続させる。連結部材２の一つは複数のピン２１を具えており、ピン２１は回路基板１１と電気的に接続する。
【００１１】
図４に示すように、本考案によるＬＥＤライトの構造を、既存の環形蛍光灯の台座３と連結させる。台座３の留め具３０を連結部材２に固定することで、ＬＥＤライトの構造を台座３に取り付け、ピン２１を台座３のプラグ３１に差し込むと、電源がＬＥＤランプ１２に供給される。前述したように、本考案のＬＥＤライトの構造は、既存の台座３に適用することができるため、既存の台座３を変更することなく本考案を使用することができ、本考案は使用上の利便性を具えている。
【００１２】
（実施例２）
図５に示すように、本考案の実施例２によるＬＥＤライトの構造は、さらに、少なくとも一つの内側ＬＥＤライトの構造を設ける。内側ＬＥＤライトの構造は、複数の発光ユニット１Ａと連結部材２Ａを連結させてなる。各発光ユニット１Ａは、放熱管１０Ａと、回路基板１１Ａと、ＬＥＤランプ１２Ａとによって構成する。連結部材２Ａの内の一つは、ピン２１Ａを具えるとともに、回路基板１１Ａに電気的に接続する。以上のように、内側ＬＥＤライトの構造はＬＥＤライトの構造と同じである。即ち、発光ユニット１Ａ、連結部材２Ａ、放熱管１０Ａ、回路基板１１Ａ、及びＬＥＤランプ１２Ａは、発光ユニット１、連結部材２、放熱管１０、回路基板１１、及びＬＥＤランプ１２の構造と同じで、サイズと設置位置が異なるだけであるため、ここでは記載を省略する。なお、内側ＬＥＤライトの構造は、ＬＥＤライトの構造の輝度を強化する。
【００１３】
（実施例３、実施例４）
図６と図７は、本考案の実施例３及び実施例４によるＬＥＤライトの構造を示している。二つの実施例におけるＬＥＤライトの構造は、複数の発光ユニット１Ｂ、１Ｃと複数の連結部材２Ｂ、２Ｃを具え、連結部材２Ｂ、２Ｃで発光ユニット１Ｂ、１Ｃを連結させることにより、多辺形構造を形成させる。連結部材２Ｂ、２Ｃの内の一つはピン２１Ｂ、２１Ｃを具え、各発光ユニット１Ｂ、１Ｃは、放熱管１０Ｂ、１０Ｃと、回路基板１１Ｂ、１１Ｃと、ＬＥＤランプ１２Ｂ、１２Ｃとによってなり、回路基板１１Ｂ、１１Ｃは、ピン２１Ｂ、２１Ｃに電気的に接続する。実施例２の内側ＬＥＤライトの構造は、ＬＥＤライトの構造と同じであるため、内側ＬＥＤライトの構造も多辺形或いは環状構造にすることができる。
【符号の説明】
【００１４】
１、１Ａ、１Ｂ、１Ｃ  発光ユニット
１０、１０Ａ、１０Ｂ、１０Ｃ  放熱管
１００  貫通孔
１０１  収容溝
１１、１１Ａ、１１Ｂ、１１Ｃ  回路基板
１２、１２Ａ、１２Ｂ、１２Ｃ  ＬＥＤランプ
２、２Ａ、２Ｂ、２Ｃ  連結部材
２０  係合部材
２１、２１Ａ、２１Ｂ、２１Ｃ  ピン
３  台座
３０  留め具
３１  プラグ
【図１】
0003159785.tif 000003
【図２】
0003159785.tif 000004
【図３】
0003159785.tif 000005
【図４】
0003159785.tif 000006
【図５】
0003159785.tif 000007
【図６】
0003159785.tif 000008
【図７】
0003159785.tif 000009